【手続補正書】
【提出日】平成17年2月17日(2005.2.17)
【手続補正１】
【補正対象書類名】明細書
【補正対象項目名】全文
【補正方法】変更
【補正の内容】
【書類名】      明細書
【発明の名称】  メダルゲーム機
【特許請求の範囲】
【請求項１】  メダル投入口と、
前記メダル投入口から投入されたメダルを発射するメダル発射装置と、
前記投入口の前方に設けられたプレーフィールドと、
前記プレーフィールドの反メダル投入口側であるプレーフィールド内周縁部隣接部に設けられた回収シュートと、
前記メダル発射装置により発射されたメダルを移動中において受ける受け皿と、
前記受け皿で受けた前記メダルを該移動中においてチャッカーに落とし込む受け皿傾斜手段と、
前記受け皿の移動中での前記メダル受けを可能とする該受け皿の前記回収シュート上での該移動と、前記受け皿の移動中での該受け皿上のメダルをチャッカーに落とし込む前記受け皿傾斜手段を傾斜させる該移動とを含むように該受け皿を駆動する駆動装置と、
前記受け皿傾斜手段によりチャッカーに落とし込まれたメダルを検出して検出信号を発する検出手段と、
前記検出手段からの検出信号に基づいて抽選処理を開始する制御手段と、
前記抽選処理の結果、決定したメダルを払い出す払出装置と、
を備えたことを特徴とするメダルゲーム機。
【請求項２】  前記プレーフィールドは中央部が盛り上がり、前記回収シュート側に傾斜すると共に、該プレーフィールドを前記回収シュート側に傾斜させる傾斜機構を備えている前記請求項１に記載のメダルゲーム機。
【請求項３】  前記メダル発射装置は、発射メダルがプレーフィールド上を移動しながら前記受け皿へ向けて発射されるようになされている前記請求項１に記載のメダルゲーム機。
【請求項４】  前記メダル発射装置は、メダル装入口とメダル排出口とを備えたメダル収納部と、引金とが、発射装置本体に設けられ、メダルの一部が引掛かるスピン付与部が、前記メダル収納部のメダル排出口近傍に設けられ、前記引金の引操作により、前記メダル排出口におけるメダル面の中心部より位置をずらせた個所を略直角方向に加撃するメダル加撃機構が、前記発射装置本体に設けられたものであることを特徴とする前記請求項１に記載のメダルゲーム機。
【請求項５】  前記払出装置は、中央に設けられ、前記プレーフィールドは、前記払出装置を中心としてその周囲に複数設けられ、前記プレーフィールドのいずれかに払い出すように前記払出装置を旋回させる機構とを備えた請求項１ないし４のいずれかに記載のメダルゲーム機。
【発明の詳細な説明】
【０００１】
【発明の属する技術分野】
本出願発明は、ゲーム機において、メダル（本明細書では、円板状のものについて説明されているが、必要に応じて長円または多角形の板状のものでもよい）を発射させるメダル発射装置を備えるメダルゲーム機に関するものである。
【０００２】
【従来技術および解決しようとする課題】
メダルを空中に発射させるゲーム機は、従来から例が少なく、例えば特開昭５８−１１２５７２号公報、実開昭５９−５３０８０号公報記載のゲーム機がある。
【０００３】
特開昭５８−１１２５７２号公報記載のメダルゲームにおいては、回転ドラムの回転軸がプレーヤに対し左右方向に指向した回転ドラムが配置され、該ドラムの外周面に跳上げ部材が突設されており、前記回転ドラムは手前側から上方を回って奥側に向い回転駆動されるようになっており、さらにコイン投入口に挿入した場合、このコイン投入口から前記回転ドラム上に落下したコインは、下方から上方に移動する跳上げ部材によって上方へ不規則に跳飛ばされ、その内のいずれかのコインがバスケットに入るようになって、このバスケットに入るコインの枚数を競うようになっている。
【０００４】
また実開昭５９−５３０８０号公報記載のメダルゲーム機では、コインを略水平に支持させ、該コインの下方から上方に向って該コインの中心部を弾くメダル弾き片でもって、該コインを空中に弾飛ばすようになっていた。
【０００５】
このように従来のメダル発射装置では、メダルの側面に対し直角または直角に近い角度で該メダルの側面を叩くようになっているため、方向性が悪く、プレーヤの技量を発揮することができなかった。
【０００６】
さらにパチンコゲーム機のように、鉛直に起立した盤面に沿い上方へメダルを発射させると、このメダルは盤面に垂直に打込まれた多数の釘に当りながら不規則に落下するものがあり、このメダルゲーム機に用いられるメダル発射装置では、特開平８−２８９９７０号公報に記載されているように、鉛直面に沿って下から送られたメダルを、鉛直面に沿って上下に配設された２本の受けローラの周面と発射用回転ローラの周面とに挟込み、この発射用回転ローラの接線方向の摩擦力でメダルを、鉛直に立てられた盤面に沿い上方へ発射させ、盤面上部に昇ったメダルが盤面の釘に当りながら落下し、所要のポケットに入るか否かを競うようになっていた。
【０００７】
このメダル発射装置では、２本の受けローラの径は発射用回転ローラの径に比べて著しく小さく、かつ発射用回転ローラの周面によりメダルの一方の側面にのみ摩擦力が働くようになっているため、鉛直面の盤面に沿ってはメダルを発射させることはできるものの、空中に安定してメダルを発射させることができない。
【０００８】
そして前記したゲーム機では、球状の玉を発射するものと、ゲームのやり方は略同じであり、メダルの特徴を生かしたゲームを行なうことができなかった。
【０００９】
また子供の遊びとして、メダルを立てて、その上部を一方の手の指で押え、他方の手の指でそのメダルの外周縁部を弾いて、鉛直線を中心にメダルを旋回させ、そのメダルがどの程度旋回できるかとか、どの方向に進むかを楽しんでいたが、このメダル弾きに技巧を必要とし、またこのようにメダルの特徴を生かしたゲーム機は今迄になかった。
【００１０】
さらにまたメダルゲーム機で大当りとなって、１００枚とか５００枚とかいった大量のメダルを払出す場合には、予め所定枚数を計算してホッパーに溜められたコインを一度に払出し口に排出させ、または、特開平３−１５８９９１号公報のように、回転円板のメダル保持穴に嵌合されたメダルを、該回転円板の回転に伴ない次々と円板の接線方向へ供給させて、連続的にメダル払出し口に排出させるようになっていた。
【００１１】
これらのメダル払出し装置では、プレーヤがコインの払出しを直接目で見ることができない状態で、メダルの払出しが行なわれるため、大量のメダルが払出された実感が少なく、プレー成功を充分に味わうことができなかった。
【００１２】
【課題を解決するための手段および効果】
本出願発明は、このような不具合を解消したメタルゲーム機の改良に係り、請求項１記載の発明は、メダル投入口と、メダル投入口から投入されたメダルを発射するメダル発射装置と、前記投入口の前方に設けられたプレーフィールドと、前記プレーフィールドの反メダル投入口側であるプレーフィールド内周縁部隣接部に設けられた回収シュートと、前記メダル発射装置により投入されたメダルを移動中において受ける受け皿と、前記受け皿で受けた前記メダルを該移動中においてチャッカーに落とし込む受け皿傾斜手段と、前記受け皿の移動中での前記メダル受けを可能とする該受け皿の前記回収シュート上での該移動と、前記受け皿の移動中での該受け皿上のメダルをチャッカーに落とし込む前記受け皿傾斜手段を傾斜させる該移動とを含むように該受け皿を駆動する駆動装置と、前記受け皿傾斜手段によりチャッカーに落とし込まれたメダルを検出して検出信号を発する検出手段と、前記検出手段からの検出信号に基づいて抽選処理を開始する制御手段と、前記抽選処理の結果、決定したメダルを払い出す払出装置、とを備えたメダルゲーム機であることを特徴とする。
【００１３】
請求項１記載の発明は、前記したように構成されているので、メダル発射装置により発射されたメダルは、プレーフィールド上をメダル投入口側から該フィールドの内周縁部等の端側に向って規則性のない軌跡を描いて移動し、プレーフィールドの端側に達するタイミングの良いメダルは、プレーフィールド内周縁部隣接部の回収シュート上に移動してきたメダル受け皿上に乗り移ることができ、受け皿上のメダルはチャッカー上にまで運ばれて、該チャッカー上の位置においてメダル受け皿が傾斜して受け皿上のメダルはチャッカー内に落とし込まれ、メダル検出手段からの検出信号に基づく抽選処理結果を経て大当たり時には大量のメダルが払い出されるようになっている。したがって、誰でも気軽な気持ちで簡単に該ゲーム機によるメダルゲームに挑戦することができ、しかも、ある程度の技巧性を要し、大当たり時にはメダル払出しの実感とプレー成功の感触を充分に満喫することができるからプレーヤは充実したメダルゲームを楽しむことができる。
【００１４】
また請求項２記載のように発明を構成することにより、メダル発射装置によりプレーフィールドに発射されたメダルは、プレーフィールド中央部の盛り上がり部から該フィールドの端側に向って規則性のない軌跡を描いて移動するから、ゲームプレーにある程度の技巧性が必要とされ、ゲームの楽しみが大きくなる。また、プレーフィールドは傾斜機構により傾斜可能であるから、プレーフィールド上で倒れたメダルの回収が容易化される。
【００１５】
さらに請求項３記載のように発明を構成することにより、発射されたメダルはプレーフィールド上をメダル受け皿に指向して移動するが、該メダルの描く移動軌跡は規則性のない予測し難いものであるから、該メダルの該フィールド上での移動はプレーヤの興味をそそるものであり、メダルゲームの楽しさが大きくなる。
【００１６】
また請求項４記載のように発明を構成することにより、メダル収納部にメダルを収納させて、該メダル収納部のメダル排出口にメダルを位置させた状態で、前記引金を引いて、前記メダル加撃機構を動作させると、前記メダル排出口に位置したメダルは、その略中心部にて前記メダル加撃機構により略直角方向に加撃され、該メダル排出口に対し略平行状態を保ちながら、該メダル排出口から離れ飛出す途中で前記メダルの一部が前記スピン付与部に当り、該メダルは鉛直線を中心に旋回駆動される。
【００１７】
このように、前記メダル収納部にメダルを装填し、引金を引くだけで、指でメダルを支持しつつ弾くような特別な技巧を全く必要とせずに、メダルを立てた状態で、鉛直線を中心にメダルを旋回させて、容易にかつ確実に発射させることができるので、信頼性の高いゲーム機による充実したメダルゲームを楽しむことができる。
【００１８】
また請求項５記載のように発明を構成することにより、大当たりが出ると払出装置は旋回して大当たりの出たプレーフィールドに向って急速に旋回し、該プレーフィールドにてメダルの払出しが行われるようになり、プレーヤは大量のメダルが払出しされた実感と、プレー成功の感触を十分に満喫することができる。
【００１９】
【発明の実施の形態】
以下、図１ないし図５に図示された本出願発明のメダルゲーム機が備えるメダル発射装置の一実施形態について説明する。
【００２０】
本出願発明のメダル発射装置１は、図３２ないし図４３および図４５ないし図６０に図示されるメダルゲーム機０に用いられるもので、メダルゲーム機０に関する説明は、後で述べることにする。
【００２１】
左右に間隔を存して水平に配置された２枚の水平基板２は、メダルゲーム機０の人形132 内の図示されない塔上端に一体に固定され、該水平基板２の後端にローラ枢支板３がそれぞれ枢支ビス４を介して左右へ揺動自在に枢支され、該ローラ枢支板３の外側先端にそれぞれ長孔３ａが形成され、該長孔３ａを貫通したガイドビス５が水平基板２に螺着され、前記ローラ枢支板３の内側先端にそれぞれスプリング取付けピン６が上方へ突設され、該スプリング取付けピン６に引張コイルスプリング７の両端が係支されており、該引張コイルスプリング７の引張力により、左右のローラ枢支板３は枢支ビス４を中心に相互に接近するように付勢されている。
【００２２】
また左右の水平基板２の中央部には、それぞれ図示されない大きな穴が形成され、該穴を下方から上方へ貫通してローラ枢支板３の下面にローラ駆動モータ８の上端がそれぞれ一体に取付けられ、該ローラ駆動モータ８の上部にギヤヘッド９が突設され、前記ローラ枢支板３を下方から上方へ貫通してローラ枢支板３より上方へ突出したギヤヘッド９の回転軸９ａにそれぞれ挟付けローラ10がスプライン嵌合され、該回転軸９ａの上端周方向溝にサークリップ22が係止され、該左右の挟付けローラ10の外周部10ａは軟質ゴムで構成されており、左右の挟付けローラ10はそれぞれローラ駆動モータ８でもって相互に同一速度でかつ逆方向へ回転駆動されるようになっている。なおギヤヘッド９の下部ケーシング部９ｂには、ローラ駆動モータ８の回転軸（図示されず）が遊嵌されるとともにギヤヘッド９の上部ケーシング部９ｃには減速ギヤ群が内蔵されて、挟付けローラ10はギヤヘッド９によって減速されるようになっている。
【００２３】
さらに左右の挟付けローラ10の後方と前方とに位置してローラ枢支板３に左右の入口側ガイド板11と出口側ガイド板12とがそれぞれ相互に平行して一体に取付けられ、該左右の出口側ガイド板12の間には、後方から前方に向って上方へ傾斜した規制板13が（図１では右方から左方に向って上方へ傾斜している）一体に取付けられている。
【００２４】
さらにまた左右の入口側ガイド板11に隣接して、メダル供給装置15のメダルガイド16の上端部16ａが配置されており、該メダル供給装置15からメダルガイド16を通ってメダル排出端部16ａに送られたメダル14が、左右の挟付けローラ10に挟込まれて、相互に逆方向に回転する左右の挟付けローラ10によって左右の挟付けローラ10の中心の垂直２等分線上の鉛直面に沿い発射されるようになっている。
【００２５】
またメダル供給装置15は、特開昭５９−１８３４８４号公報に記載されたメダル払出し装置のように、ホッパー17の底面に接して図示されない回転円板が設けられ、該回転円板にはメダルを遊嵌しうる穴（図示されず）が周方向へ亘り多数設けられ、該回転円板はメダル供給モータ18に連結されており、メダル供給モータ18により回転円板が回転駆動されると、該回転円板の穴に遊嵌されたメダルが１個ずつメダルガイド16に送込まれ、この回転円板の送出し力によりメダルガイド16内のメダル14が押上げられ、メダルガイド16の上端部16ａよりメダル14が左右の入口側ガイド板11の間に供給されるようになっている。
【００２６】
さらにメダルガイド16の上端部16ａに揺動レバー23がピン24を中心に上下に揺動自在に枢支され、該揺動レバー23の先端部23ａにメダル当接円筒片25が設けられ（回転自在に先端部23ａに枢着されても可）、前記揺動レバー23の後端部23ｂは、光センサー26の溝26ａに遊嵌され、該光センサー26はメダルガイド16の上端部16ａに一体に嵌着されており、図５に図示されるように、メダル14がメダルガイド16の先端部16ａを通過して揺動レバー23の先端部23ａが押上げられる毎に、光センサー26の発光部26ｂから投射された光が揺動レバー23の後端部23ｂに遮ぎられ、メダル14の通過が検出されるようになっている。
【００２７】
図１ないし図５に図示の実施形態は前記したように構成されているので、メダル14をホッパー17内に多数投入しておき、ローラ駆動モータ８およびメダル供給モータ18を回転させると、ホッパー17内のメダル14はメダルガイド16に送込まれ、メダルガイド16内を上昇してその上端部16ａより左右の入口側ガイド板11の間に供給され、該メダル14は、図２の矢印方向へ回転駆動される左右の挟付けローラ10に挟込まれ、メダル14の両外側面に働く左右の挟付けローラ10の外周面10ｂによる摩擦力で、図２の白抜き矢印方向へ付勢され、左右の出口側ガイド板12の間を通って発射される。
【００２８】
発射されたメダル14は斜上方へ傾斜した規制板13により、斜上方へ向け空中を飛ぶことができる。
【００２９】
この時、左右の挟付けローラ10の回転速度は同一であり、かつ左右の挟付けローラ10の外径は等しいため、鉛直線を中心として旋回することなく、出口側ガイド板12と平行な方向に沿って飛ぶことができる。
【００３０】
また挟付けローラ10の外周部10ａは軟質ゴムよりなっているため、メダル14を挟込んだ際に、その外周部10ａは弾性変形し、衝撃力を発生することなく、メダル14を安定して挟むことができる。そしてメダル14の厚さの変化も勿論吸収でき、騒音の発生は抑制される。
【００３１】
さらに挟付けローラ10を枢支しているローラ枢支板３は、枢支ビス４を中心に揺動でき、かつ左右の挟付けローラ10は、相互に接近するように引張コイルスプリング７で付勢されているので、挟付けローラ10へのメダル14の挟込みの力はこの引張コイルスプリング７で吸収できるとともに、挟付けローラ10の外周部10ａへの挟込み反力は軽減でき、挟付けローラ10の耐久性を向上することができる。
【００３２】
さらにまた左右の挟付けローラ10を、引張コイルスプリング７のバネ力で相互に押付けるように付勢しているため、厚くて重いメダル14は、引張コイルスプリング７のバネ力の増加でより強く左右の挟付けローラ10に挟込まれ、大きな摩擦力でもってメダル14は確実に発射されうる。
【００３３】
しかも左右挟付けローラ10にぞれぞれローラ駆動モータ８が設けられているため、左右の挟付けローラ10への動力伝達系は大巾に簡略化され、小型、軽量化が可能となる。
【００３４】
また左右の出口側ガイド板12の間に規制板13が設けられているため、メダル14の飛出し方向を斜上方へ向けることができる。
【００３５】
さらに挟付けローラ10の回転軸は、上下鉛直方向へ向いているため、鉛直面に沿ってメダル14を飛ばし、メダル14の飛行面を左右に曲げないように目標に向って正確にメダル14を発射することができる。
【００３６】
さらにまたメダルガイド16においてメダル14が詰った場合には、光センサー26でこれが検出され、メダル供給モータ18が直ちに停止されて、メダル供給装置15の破損が未然に阻止される。
【００３７】
図１ないし図５に図示の実施形態では、挟付けローラ10の回転中心軸を上下鉛直方向に向けたが、挟付けローラ10を上下に重ねるとともに、挟付けローラ10の回転中心軸を水平方向に向けてもよく、このように構成すれば、メダル14を水平に向けて遠くに飛ばすことができる。
【００３８】
また図１ないし図５に図示の実施形態では、左右の挟付けローラ10を同一回転速度で回転させて、その周速も一致させていたが、左右のローラ駆動モータ８の回転速度のいずれか一方を僅かに変えて左右の挟付けローラ10の周速に差を付け、その周速差でもって、メダル14の飛行面を左右に弯曲させることができる。
【００３９】
さらに図１ないし図５に図示の実施形態では、左右の挟付けローラ10を引張コイルスプリング７のバネ力で相互に接近するように付勢したが、スプリング取付けピン６の外側面に図示されない磁石を一体に取付けるとともに、この磁石の外側に相対して同じ磁極が対面するように磁石を配置し、この対面磁石を水平基板２に一体に取付けてもよく、対面する磁石の反撥力を利用して左右の挟付けローラ10を相互に接近するように付勢してもよい。
【００４０】
さらにまた図６に図示されるようにローラ駆動モータ８を１個にし、左右のローラ枢支板３を１本の枢支ビス４で水平基板２に揺動自在に枢支し、ローラ駆動モータ８の回転軸中心と枢支ビス４の中心とを一致させるとともに、ローラ駆動モータ８の回転軸に、ピッチ円の半径がｒ1 ，ｒ2 のドライブギヤ19Ｘ，19Ｙを重ねて嵌着し、該ドライブギヤ19Ｘ，19Ｙのピッチ円半径ｒ1 ，ｒ2 に対して一定の比率ｋのドリブンギヤ20Ｘ，20Ｙ（このピッチ円半径は、ｋｒ1 ，ｋｒ2 となる）を左右の挟付けローラ10Ｘ，10Ｙの回転中心に一体に設け、一方のドライブギヤ19Ｘを一方のドリブンギヤ20Ｘに直接噛合せ、他方のドライブギヤ19Ｙを他方のドリブンギヤ20Ｙにアイドラギヤ21を介して噛合せれば、１個のローラ駆動モータ８でもって、左右の挟付けローラ10Ｘ，10Ｙを相互に逆向きでかつ、同一回転速度で回転させることができる。
【００４１】
しかも図１ないし図５に図示の実施形態では、挟付けローラ10を枢支した水平基板２およびローラ枢支板３（ローラ枢支板３はメダル14の有無および挟付けローラ10の外径変化に対応し、枢支ビス４を中心として僅かに揺動できるが全体として見ると略固定されている）は水平面に保持されてコインの発射方向は一定しているが、挟付けローラ10の回転軸９ａを前後、左右、上下に傾斜可能として、１対の挟付けローラ10により発射されるメダル14の発射方向を自由に変えることができるようにしてもよい。
【００４２】
そして、前記水平基板２を図示されない模擬銃の銃身に取付け、該模擬銃を所要の向きに自由に変えることができるように構成してもよい。
【００４３】
また図７ないし図１０に図示されるようにメダル発射装置を構成してもよい。
【００４４】
図７ないし図１０に図示の実施形態において、図１ないし図５に図示の実施形態の各構成部品と同一の構成部品について、それぞれ同一の符号が付されている。
【００４５】
図１ないし図５に図示の実施形態では、１対の挟付けローラ10にそれぞれギヤヘッド９を介して１対のローラ駆動モータ８が付設されていたが、図７ないし図１０に図示の実施形態では、メダル14の移送方向の右側（図９では正面図であるので左側）の挟付けローラ10にローラ駆動モータ８が付設され、メダル14の移送方向の左側の挟付けローラ10は、左側のローラ枢支板３に垂直に直立して突設された回転軸27に回転自在に嵌装されており、メダル供給装置15が休止してメダル14が１対の挟付けローラ10間に供給されていない状態では、引張コイルスプリング７のバネ力により、枢支ビス４を中心として左右のローラ枢支板３が相互に引寄せられて、左右の挟付けローラ10が密接され、ローラ駆動モータ８が付設されていない左側の挟付けローラ10は右側の挟付けローラ10の回転に連れ回りされ、またメダル供給装置15により１対の挟付けローラ10間にメダル14が供給される場合には、該１対の挟付けローラ10間に介在されるメダル14を介して、左側の挟付けローラ10が連れ回りされるようになっている。
【００４６】
また左右の出口側ガイド板12にそれぞれ孔（図示されず）が設けられ、左右出口側ガイド板12のいずれか一方の外側面に光センサー28の発光部28ａが付設されるとともに、出口側ガイド板12の他方の外側面に光センサー28の受光部28ｂが付設されており、光センサー28の発光部28ａから投射された光が、１対の出口側ガイド板12間を通過するメダル14によって遮られて、光センサー28の受光部28ｂに到達しえなかったことが検出されるようになっている。
【００４７】
さらに、図示されないコンピュータにより、メダル供給装置15が動作し、１対の挟付けローラ10間にメダル14が供給されたことが光センサー26によって検出されてから、３秒以上経過後に、光センサー28が動作しない場合には、前記コンピュータからの判断により、１対の挟付けローラ10間でメダル14が詰まったとして、メダル供給装置15を自動停止させるようになっている。
【００４８】
なお、この実施形態では、規制板13は設けられていない。
【００４９】
図７ないし図１０に図示の実施形態は、前記したように構成されているので、メダル供給装置15が動作せず、１対の挟付けローラ10の間にメダル14が供給されなくても、１対の挟付けローラ10は、引張コイルスプリング７のバネ力により相互に密接され、ローラ駆動モータ８に連結されている挟付けローラ10のみならず、ローラ駆動モータ８が付設されていない挟付けローラ10も連れ回りされ、その結果、メダル供給装置15の動作で１対の挟付けローラ10の間にメダル14が供給された際に、共に回転する１対の挟付けローラ10にメダル14が挟付けられて、メダル14の発射が可能となる。
【００５０】
またメダル供給装置15の動作では、１対の挟付けローラ10の間にメダル14が連続的に供給される場合には、ローラ駆動モータ８が付設されていない挟付けローラ10は、ローラ駆動モータ８に連結されている挟付けローラ10からメダル14を介してその回転力が伝達されて、その回転慣性トルクで回転を持続しうるので、ローラ駆動モータ８が付設されていない挟付けローラ10も、ローラ駆動モータ８に連結されている挟付けローラ10と協同してメダル14の発射に寄与することができる。
【００５１】
さらに挟付けローラ10の搬入側と搬出側とに、メダル14の通過を検出する光センサー26と光センサー28とをそれぞれ設けて、１対の挟付けローラ10間でメダル14が詰まっているか否かを判別し、メダル14が詰った場合に、メダル供給装置15の動作を自動的に停止させるようにしたため、万一、メダル14が１対の挟付けローラ10間で詰っても、メダル供給装置15が自動的に停止され、１対の挟付けローラ10間にメダル14が無理矢理に供給することが阻止され、メダル供給装置15や挟付けローラ10等の損傷が未然に防止される。
【００５２】
さらにまた１対の挟付けローラ10を１個のローラ駆動モータ８で回転駆動できるため、大巾なコストダウンが可能となる。
【００５３】
次に、図１１ないし図２０に図示されたメダル旋回発射装置の一実施形態について説明する。
【００５４】
本出願発明のメダル旋回発射装置31は、図３２ないし図４３および図４５ないし図６０に図示されるメダルゲーム機０に用いられるもので、メダルゲーム機０に関する説明は、後で述べることにする。
【００５５】
図１７に図示される正方形の４辺にそれぞれ丸味を付けた形状の台座32の中心孔33に、支柱36の下端軸37（図１５参照）が装入され、該下端軸37のネジ部にナット38が螺着されるとともに、前記台座32のガイド溝34に支柱36のガイドピン39が嵌合されており、支柱36は台座32の中心孔33を中心に左右に向きを変えることができるようになっている。
【００５６】
またメダル旋回発射装置31の銃身部41は、図１１および図１４に図示されるように、側面形状が普通の銃の銃床に近い形状に形成されるとともに上部42ａが巾方向へ直角に折曲されてなる銃床42と、中央に所定の大きさのメダル14の直径よりも僅かに狭い巾の長孔43ａが形成された銃底43と、該銃底43の両側にメダル14の直径と同一の間隔を存して付設されるメダル14の厚さと同一厚さ（実際には極く僅かに厚い）の２枚のメダルガイド44と、これら銃底43およびメダルガイド44の略中央部を覆う蓋45と、該メダルガイド44および蓋45の手前端に付設されるメダル装入金具46と、前記メダルガイド44および蓋45の先端に隣接して銃底43に付設されるメダルストッパー47と、該メダルストッパー47上に付設される左右１対のスペーサ48と、該１対のスペーサ48に付設されるスピン付与部49とからなり、銃床42の頂片42ａに、銃底43，メダルガイド44，蓋45が順次重ねられ、蓋45の手前側でメダルガイド44にメダル装入金具46が重ねられているとともに、蓋45の奥側でメダル装入金具46にメダルストッパー47，スペーサ48，スピン付与部49が順次重ねられ、これらが相互に一体に結合され、これら銃底43，メダルガイド44および蓋45でもってメダル収納部50が構成され、該メダル収納部50の上端のメダル装入金具46に隣接してメダル装入口50ａが設けられるとともに、該メダル収納部50の下端にメダル排出口50ｂが設けられている。
【００５７】
さらに前記銃底43の先端部に後記加撃片61の加撃部61ａが遊嵌しうる孔43ｂが形成されるとともに、長孔43ａと孔43ｂとの間の右側にセンサ取付け切欠き43ｃが形成されている。しかも前記左方のメダルガイド44の内側縁に突起44ａが形成され、前記右方のメダルガイド44の内側縁に切欠き44ｂが形成されるとともにセンサ取付け切欠き44ｃが形成されている。
【００５８】
そして前記支柱36の上部36ａは２叉状に形成され、該２叉状部36ａの上端に銃底43の左右取付け片43ｄがビス等で一体に取付けられている。
【００５９】
また前記銃床42の手前側の銃把42ｅに隣接して引金51がピン52を介して前後に傾動自在に枢着され、該引金51には、引金駆動突起51ａと、ピン52を中心とする円弧面に形成されたラチェット歯51ｂと、スプリング取付け部51ｃとが形成されており、該スプリング取付け部51ｃと銃床42のピン53とに引張コイルスプリング54が張設されており、該引張コイルスプリング54の引張バネ力により図１１において引金51が反時計方向へ回転するように付勢されている。
【００６０】
さらに引金51のラチェット歯51ｂに隣接して銃床42にラチェット爪55が枢支され、図１１および図１８においてラチェット爪55がラチェット歯51ｂに係止するように、銃床42と一体のピン56とラチェット爪55とに引張コイルスプリング57が張設されており、このラチェット歯51ｂとラチェット爪55とで、引金節度機構58が構成されるようになっている。
【００６１】
さらにまたメダル加撃機構60は、前記メダル排出口50ｂにおけるメダル14の中心部を加撃するように、銃床42の先端の支軸62に上下へ傾動自在に枢着された加撃片61と、該加撃片61の加撃端61ａを前記メダル排出口50ｂにおけるメダル14の中心部に付勢する加撃付勢部材たる引張コイルスプリング63と、前記引金51を所定限度迄引いた状態では、該引張コイルスプリング63の付勢力に逆い前記加撃片61の加撃端61ａを後退させ、前記引金51を前記所定限度を越えて引いた際に、前記加撃片61と引金51との連結を断ち、引張コイルスプリング63の付勢力でもってメダル排出口50ｂにおけるメダル14の中心部に加撃片61の加撃端61ａを加撃させる引金発動手段66とからなっている。
【００６２】
そして加撃片61より手前側に位置して銃床42に前後１対の受け片42ｂ，42ｃが設けられ、該受け片42ｂ，42ｃに調整ネジ64が貫通され、該調整ネジ64に調整ピン65が螺合され、図１４に図示されるように、該調整ピン65の先端部65ａは銃床42のガイド溝42ｄに嵌合され、該調整ピン65の基端部65ｂに引張コイルスプリング63の一端が係合され、該引張コイルスプリング63の他端は引金発動手段66の連結部材67の中央突片67ａのピン68に係合されている。
【００６３】
また前記引金発動手段66は、前記連結部材67と、銃床42にピン70を介して枢着された傾動カム69と、該傾動カム69に対し一定角度以上傾動しないように傾動カム69に枢着された係脱片71と、前記傾動カム69および係脱片71を相互に離れる方向に付勢する圧縮コイルスプリング72とからなり、連結部材67の先端部67ｂは、加撃片61にピン73を介して枢着されるとともに、連結部材67の基端部67ｃは、傾動カム69にピン74を介して枢着されている。
【００６４】
さらに銃底43の先端部の下面に軟かくて弾性に富んだ弾性片75が付設されており、引金51に引金操作を加えない図２０に図示された状態で、引張コイルスプリング63のバネ力により加撃片61が支軸62を中心に反時計方向へ付勢され、加撃片61の加撃端61ａが銃底43の孔43ｂより上方へ突出しないように、ピン73のバネ力で加撃片61が支えられるようになっている。
【００６５】
さらにまた引金51のラチェット歯51ｂに隣接して銃床42に発射検出リミットスイッチ76が取付けられるとともに、銃底43のセンサ取付け切欠き43ｃ，メダルガイド44のセンサ取付け切欠き44ｃおよび蓋45のセンサ取付け切欠き45ａにメダル通過センサー77が取付けられている。
【００６６】
なお、図１１に図示されるように、支柱36の２叉状部36ａの下部に不適正メダル排出シュート78が取付けられている。
【００６７】
図１１ないし図２０に図示の実施形態は前記したように構成されているので、メダル14をメダル装入金具46に隣接したメダル収納部50の装入口50ａに装入しようとしても、所定の適正な寸法のメダル14より大きなメダル14を、メダル装入金具46や左右１対のメダルガイド44によって装入口50ａに装入することができない。
【００６８】
また所定の適正な寸法のメダル14より小径のメダル14は、メダル収納部50を貫通する際に、銃底43の長孔43ａから落下してしまい、所定の適正な寸法のメダル14のみがメダル収納部50の排出口50ｂに到達し、最先端のメダル14はメダルストッパー47のＶ状当接凹部47ａに係止され、不正メダル14によるプレーを禁止して、正常なメダル14でのプレーを行うことができる。
【００６９】
また装入口50ａから排出口50ｂに向ってメダル収納部50を下方へ傾斜させているため、重力でもってメダル14を装入口50ａから排出口50ｂへ自動的に移動させることができ、メダル旋回発射装置の構造をより一層簡略化することができる。
【００７０】
そして所定の枚数のメダル14をメダル収納部50に収納した後、図２０に図示の状態で、引金51を引き始めると、図１１に図示されるように、引金51は時計方向へ傾動し、引金51の引金駆動突起51ａが係脱片71に当接し、時計方向への引金51の引き操作に対応して、係脱片71を介して傾動カム69が反時計方向へ傾動され、引張コイルスプリング63のバネ力に打勝って手前側に移動する連結部材67により、加撃片61が下方へ時計方向へ傾動され、図１８に図示されるように、加撃片61の加撃端61ａは銃底43の孔43ｂから大きく離れる。
【００７１】
次に図１９に図示するように、引金51の引金駆動突起51ａがストッパ79に当接する迄、引金51を極限迄引くと、引金駆動突起51ａの先端と係脱片71の先端との係合が解除されて、引張コイルスプリング63のバネ力により、連結部材67が前方へ引戻され、加撃片61が反時計方向へ傾動し、加撃片61が弾性片75に勢い良く当接し、加撃端61ａによりメダルストッパー47内のメダル14の略中心部は強く加撃される。この時、加撃片61の頂面61ｂが銃底43の孔43ｂ周辺部に強く衝突するのを、弾性片75によって緩衝され、振動や、騒音の発生が抑制される。
【００７２】
さらにメダルストッパー47内で斜上前方へ略中心部が強く加撃されたメダル14は、スペーサ48の間を通過し、該メダル14の右端部がスピン付与部49の係合部49ａに当り、図１９に図示されるように、銃身部41の長手方向と平行な方向を中心に旋回され、矢印に図示されるように、放物線に沿って飛行した後、図３２、および図３３に図示の扇形プレーフィールド104 上に落下し、該扇形プレーフィールド104 上でメダル14は旋回することができる。
【００７３】
さらにまたスペーサ48がメダルストッパー47とスピン付与部49とに介装されているため、メダル14の右端が銃底43の上面に当らず、空中でメダル14は確実に旋回することができる。
【００７４】
そして図１９に図示するように引金51を極限迄引いた状態で、引金51を引く力を緩めると、引張コイルスプリング54のバネ力で引金51は反時計方向へ傾動し、引金51の円弧状端部51ｄがラチェット爪55の背面に当り、ラチェット爪55は時計方向へ直角に傾動するため、ラチェット爪55がラチェット歯51ｂに接しても、引金51の反時計方向の傾動は阻止されず、図２０に図示されるように、引金51がストッパ79に係止されて、引金51の引始め以前の状態に復帰することがでる。
【００７５】
またメダル収納部50にはメダル14が所定の複数枚が収納されるようになっているため、メダル収納部50へのメダル14の１回の装填で、引金51を反覆して引くだけで、所定の収納枚数分だけ、次々とメダル14を発射することができる。
【００７６】
さらに銃底43とメダル装入金具46と間隔をメダル14の厚さに設定しておき、メダルガイド44の厚さをメダル14の厚さより僅かに大きくしておけば、銃底43，メダルガイド44および蓋45を緩やかに曲面に形成しても、メダル収納部50内をメダル14が通過することができる。このように銃底43，メダルガイド44および蓋45を緩やかに弯曲すれば、排出口50ｂを装入口50ａよりも鉛直に近く立てることにより、メダル14をより確実に旋回させることができる。
【００７７】
さらにまた銃身部41は下端軸37を中心に左右へ揺動自在に枢支されているため、所要の方向へメダル14を発射することができる。
【００７８】
しかも、引金51の引き操作力を緩めた場合には、ラチェット爪55は引金51のラチェット歯51ｂに係合して、引金51がその位置で静止でき、引金51の、引き操作力を再び強めた際に、その位置から引金51が引かれるので、引金51の引き操作を安定して行なうことができる。
【００７９】
図１１ないし図２０に図示の実施形態では、銃底43は装入口50ａから排出口50ｂに向い下方へ傾斜するとともに、銃底43の巾方向が水平に向き、スピン付与部49の係合部49ａは右側に片寄せて設けられていたが、図２１ないし図２３に図示するように、銃底43の巾方向を略鉛直面に沿わせて、装入口50ａから排出口50ｂに向い下方へ傾斜させるとともに、スピン付与部49の係合部49ａを銃底43の先端側に片寄せて設けてもよく、この実施形態では、メダル14をより容易に旋回させることができる。
【００８０】
この実施形態において、枢支軸36ｂを中心として銃身部41を上下へ傾動させた際に、スピン付与部49の係合部49ａを常にメダル排出口50ｂの前方へ位置させるために、スピン付与部49にリング状凹部49ｂを形成し、銃身部41の先端にこのリング状凹部49ｂに嵌合しうる鍔部41ａを形成し、支柱36とスピン付与部49を平行リンク49ｃで連結してある。
【００８１】
また柔かくて弾性に富んだ弾性片75の代りに、中央部が下方へ弯曲した板バネを用いてもよい。
【００８２】
また図示の実施形態では、銃床頂片42ａ，銃底43，メダルガイド44および蓋45は平面状に形成されていたが、メダルガイド44をメダル14よりも僅かに厚くし、先端部の傾斜角が少しずつ増大するように、これら銃床頂片42ａ，銃底43，メダルガイド44および蓋45を下方へ弯曲させてもよい。
【００８３】
さらにまた、図２５ないし図２９に図示された他の実施形態について説明する。
【００８４】
この実施形態においても、図１１ないし図２０に図示の実施形態の各構成部品とそれぞれ同一の構成部品について、同一の符号が付されている。
【００８５】
図１１ないし図２０に図示の実施形態では、銃底43が銃床42の頂片42ａの前方下端迄延長していたが、図２５ないし図２９に図示の実施形態においては、銃底43は銃床42の頂片42ａの前方下端より手前側で切れて、これより前方下端迄銃底43より厚さが０．６mm薄いメダル受け板80が銃床42の頂片42ａに付設され、該メダル受け板80と頂片42ａとに加撃片61の加撃片61ａが嵌装しうる孔80ａと孔42ｅとが形成されている。
【００８６】
また図１１ないし図２０に図示の実施形態では、引金51の引金操作完了を検出する発射検出リミットスイッチ76が引金51のラチェット歯51ｂに隣接して取付けられるとともに、左右のピン74間のメダル14の通過を検出するメダル通過センサー77が、銃底43のセンサ取付け切欠き43ｃ，メダルガイド44のセンサ取付け切欠き44ｃおよび蓋45のセンサ取付け切欠き45ａに取付けられていたが、図２５ないし図２９に図示の実施形態においては、光センサー81が用いられ、該光センサー81の発光素子81ａと受光素子81ｂは、スピン付与部49の孔49ｂを挟んで該スピン付与部49に取付けられており、係脱片71で加撃されて空中に発射されるメダル14を検出しうるようになっている。
【００８７】
そして光センサー81でメダル14の発射が検出された場合に、この検出信号により図示されないスピーカーから発射音が発生されるようになっている。
【００８８】
さらに弾性片75の代りに、加撃片61の加撃端61ａの突出量を調整する調整部材82が設けられ、該調整部材82は図２８および図２９に図示されるように、その長手方向に亘って厚さが０．１mmずつ４段に段階的に変化するように形成されており、この調整部材82の左右位置を変えることにより、加撃片61の加撃端61ａの突出量が０．１mm毎に調整されるようになっている。
【００８９】
なお、メダル旋回発射装置31の外周は、カバー83で密閉されている。
【００９０】
図２５ないし図２９に図示の実施形態は、前記したように構成されているので、図１１ないし図２０に図示の実施形態で奏せられる作用効果の外に、下記のような作用効果が奏せられる。
【００９１】
まず、メダル収納部50の底面の前方下端部では、銃床42とメダル受け板80との厚さの差で０．６mmの段差部が形成されているので、メダル収納部50におけるメダル14の詰りが防止される。何故ならば、メダル収納部50の底面に段差部のない図１０ないし図２０に図示の実施形態では、図３０に図示されるように、引張コイルスプリング63のバネ力により上方へ付撃される加撃片61の加撃端61ａでもってメダル収納部50の底面の前方下端部のメダル14が浮上がることがあり、この浮上ったメダル14とメダル収納部50の底面たる規制板13の上面との間隙に後続のメダル14が喰込んで、メダル収納部50の前方下端部でメダル14が詰るが、図２５ないし図２９に図示の実施形態では、前記したように、メダル収納部50の底面、前方下端部に０．６mmの段差部があるため、図３１に図示されるように、メダル収納部50の前方下端部のメダル14の下面と規制板13の上面との間に後続のメダル14が喰込むことがないからである。
【００９２】
また図１１ないし図２０に図示の実施形態では、引金51の引金操作完了を検出する発射検出リミットスイッチ76でもって、メダル旋回発射装置31の発射音を発生させるようになっているため、メダル収納部50にメダル14が充填されていない状態で、引金操作をした場合に、メダル14が発射されないにもかかわらず、メダル旋回発射装置31の発射音が発する不具合があるが、図２５ないし図２９に図示の実施形態では、メダル収納部50の前方下端部から実際にメダル14が発射されない限り、光センサー81が動作せずに、メダル旋回発射装置31の発射音が発することがなく、スピン発射プレーの迫真性が高い。
【００９３】
さらに発射検出リミットスイッチ76とメダル通過センサー77とを光センサー81に代えたため、部品点数が減少して、コストダウンが可能となる。
【００９４】
さらにまた弾性片75の代りに、調整部材82が設けられたため、加撃片61の加撃端61ａの突出量を適正にかつ容易に調整することができる。
【００９５】
しかも弾性片75は弾性体であるため、メダル加撃機構60を反覆して動作させた場合に、弾性片75の厚さが少しずつ薄くなり、加撃片61の加撃端61ａの突出量が変化し、保守、点検、整備が煩雑となるが、本実施形態では、調整部材82は金属であるため、このような調整部材82の厚さの変化がなく、保守、点検、整備の頻度が低下して、これらの作業が簡単となる。
【００９６】
図１ないし図６および図１１ないし図２０に図示されたメダル発射装置１とメダル旋回発射装置31とを適用した図３２ないし図４３に図示のメダルゲーム機０について説明する。
【００９７】
メダルゲーム機０の上半部は透明なカバー101 で密閉され、該カバー101 の下部には、前後、左右の４個所にて、該各個所にて、左右に２個所、全周に亘り計８個所に、図３４に図示されるような窓102 がそれぞれ形成されている。
【００９８】
そして図３４に図示されるように、各窓102 の内側に位置して周辺板103 上に後記メダル旋回発射装置31がそれぞれ左右へ旋回自在に枢支されている。
【００９９】
また前記周辺板103 の内側に前後、左右に位置して４枚の扇形プレーフィールド104 が配設され、該扇形プレーフィールド104 は、図３９に図示されるように、所定の形状に裁断されて折曲された補強板105 と、該補強板105 の上方に接し所要の形状に形成されたプラスチック製のプレー面部材106 とよりなり、該扇形プレーフィールド104 の外周縁部104 ａにメダル14を円滑に受入れるためのメダル受入れ用の切欠き107 が形成されている。
【０１００】
そして扇形プレーフィールド104 のプレー面104 ｃは、その中央部104 ｄが最も上方へ盛上がり、該中央部104 ｄから左右両端部104 ｅ，104 ｆと両内外周側縁部104 ａ，104 ｂとに向い緩やかに下方へ弯曲するように形成されている。
【０１０１】
さらに図３６に図示されるように、周辺板103 の内側の基台８上にてメダルゲーム機０の中心位置寄りに支持ブラケット109 が一体に据付けられ、該支持ブラケット109 と前記扇形プレーフィールド104 の補強板105 の垂下壁105 ａとに水平軸110 が貫通され、該水平軸110 の両端は、図３９に図示される固定手段111 でもって支持ブラケット109 に一体に固定されており、前記扇形プレーフィールド104 は水平軸110 を中心に上下に起伏自在に枢支されている。
【０１０２】
さらにまた基台８上の周辺板103 寄りに支柱112 が立設され、該支柱112 の上端に緩衝ゴム113 が嵌着され、後記するプレーフィールド起伏モータ114 が非動作状態に設定された場合に、該支柱112 および緩衝ゴム113 でもって扇形プレーフィールド104 が略水平に支持されるようになっている。
【０１０３】
しかも基台８にはプレーフィールド起伏モータ114 が据付けられ、該プレーフィールド起伏モータ114 の回転軸114 ａには、図３９に図示されてるようにギヤ115 が一体に嵌着され、基台８上に起伏軸支持ブラケット116 （図３９には図示されてはいるが、図３６，図３７には図示されていない）が一体に取付けられ、該起伏軸支持ブラケット116 に起伏軸117 が回転自在に枢支され、該起伏軸117 の一端にギヤ118 が一体に嵌着され、該ギヤ118 は前記ギヤ115 と噛合され、該起伏軸117 の中央部にアーム119 が一体に嵌着され、該アーム119 の先端にローラ120 が回転自在に取付けられており、起伏軸117 がプレーフィールド起伏モータ114 により１回転すると、起伏軸支持ブラケット116 も１回転し、アーム119 の先端のローラ120 が扇形プレーフィールド104 の補強板105 の下面に当接して、扇形プレーフィールド104 は水平軸110 を中心に１往復起伏駆動されるようになっている。
【０１０４】
また起伏軸117 にはカム121 が一体に嵌着され、該カム121 に隣接して基台８にマイクロスイッチ122 が取付けられており、アーム119 が１回転して補強板105 の下面より離れた状態でアーム119 の傾斜角度が検出されるようになっている。
【０１０５】
さらに図３２、図３３および図３５に図示されるように、扇形プレーフィールド104 の内周縁部104 ｂに隣接してリング状のメダル排出溝123 が形成されている。
【０１０６】
さらにまたメダル排出溝123 の上方に位置して、各扇形プレーフィールド104 毎に梯形状チェーンガイド124 が配設され、該梯形状チェーンガイド124 の奥側にスプロケット125 が４個、該梯形状チェーンガイド124 の４隅にそれぞれ配置され、該スプロケット125 に無端チェン126 が架渡され、４個の内の１個のスプロケット125 は、図示されないモータに連結されており、該モータにより無端チェン126 は一方向、例えば時計方向へ回送されるようになっている。
【０１０７】
しかも無端チェン126 には図３４に図示されるように、その全周に亘り等間隔に５個のヒンジ127 が配置され、該ヒンジ127 の一方の部片127 ａが該無端チェン126 に一体に結合されるとともに、該ヒンジ127 の他方の部片127 ｂに、リフトのシートのような形状のメダル受皿128 の垂下杆128 ａの頂端が一体に結合されている。
【０１０８】
なおメダル受皿128 の垂下杆128 ａの下端に受け皿本体128 ｂの一側縁が一体に結合され、該受け皿本体128 ｂの他側縁には立上り片128 ｃが形成されるとともに、左右両端縁に傾斜片128 ｄが形成されている。
【０１０９】
さらにまた梯形状チェーンガイド124 の奥側中央部124 ａの直下に漏斗状のチャッカー129 が配設され、該チャッカー129 の下部内にメダル14の通過を検出するメダル検出器が配置され、該チャッカー129 の頂部に係合突片130 が突設されており、図３４に図示されるように、無端チェン126 の回送に伴ないメダル受皿128 に傾斜片128 ｄが、係合突片130 に係合してメダル受皿128 が傾斜し、受け皿本体128 ｂ上のメダル14がチャッカー129 内に落下しうるようになっている。
【０１１０】
しかも各梯形状チェーンガイド124 の正面略中央部にスロットマシン131 が配設されており、前記チャッカー129 内のメダル検出機が動作すると、スロットマシン131 が起動するようになっている。
【０１１１】
またメダルゲーム機０の中央に人形132 が配置され、メダルゲーム機０の動作中、該人形132 は鉛直線を中心にゆっくりと旋回し、スロットマシン131 に大当りが出ると、人形132 のランプ133 が点滅するとともに、サイレン134 が鳴りながら、この大当りの出た扇形プレーフィールド104 に向って人形132 が急速に旋回し、この扇形プレーフィールド104 にて正対するようになっている。
【０１１２】
さらに左右の扇形プレーフィールド104 の間に少量メダル発射装置135 が配設されており、少量メダル発射装置135 が動作すると、切欠き107 に向って少量のメダル14が発射されるようになっている。
【０１１３】
さらにまた人形132 内にメダル発射装置１が内蔵されている。
【０１１４】
このようにメダル旋回発射装置31により、メダル14が扇形プレーフィールド104 上に発射されて、扇形プレーフィールド104 上のメダル14が立った状態にて鉛直線を中心に旋回すると、扇形プレーフィールド104 のプレー面104 ｃでは、中央部104 ｄが最も盛上っているため、旋回メダルは14外周縁部104 ａから内周縁部104 ｂに向い進行する際に左右両端部104 ｅ，104 ｆに接近する方向に弯曲するが、プレー面104 ｃの僅かな凹凸やメダル14の接近部の摩擦状態で微妙に左右にゆれる。
【０１１５】
そしてタイミング良く、扇形プレーフィールド104 の内周縁部104 ｂに接近したメダル受皿128 の受け皿本体128 ｂにメダル14が乗移ることができると、無端チェン126 の回送に伴なってチャッカー129 上に運ばれ、メダル受皿128 の傾斜片128 ｄが係合突片130 に係合してメダル受皿128 が傾き、受け皿本体128 ｂ上のメダル14はチャッカー129 内に入ることができ、スロットマシン131 が稼動状態となる。
【０１１６】
スロットマシン131 が小当りとなると、少量メダル発射装置135 より数枚のメダル14が切欠き107 に向って発射され、そのメダル14は扇形プレーフィールド104 上を転回しながら切欠き107 に接近し、切欠き107 に入って払出される。
【０１１７】
またスロットマシン131 が大当りとなると、ホッパー17内のメダル14はメダルガイド16に送込まれ、メダルガイド16内を上昇してその上端部16ａより左右の入口側ガイド板11の間に供給され、該メダル14は、図５５の矢印方向へ回転駆動される左右の挟付けローラ10に挟込まれ、メダル14の両外側面に働く左右の挟付けローラ10の外周面10ｂによる摩擦力で、図５５の矢印方向へ付勢され、左右の出口側ガイド板12の間を通り、プレー面部材106 の切欠き107 に向って発射される。
【０１１８】
しかし、扇形プレーフィールド104 からメダル受皿128 への乗換えが失敗したメダル14は、メダル排出溝123 内に落下し、スロットマシン131 は動作しない。
【０１１９】
またメダル受皿128 の受け皿本体128 ｂにメダル14が乗っても、立上り片128 ｃや傾斜片128 ｄにメダル14の一部が乗って不安定な姿勢の場合には、受け皿本体128 ｂが傾斜した際に、チャッカー129 内に落下せず、プレーが成功しないことがある。
【０１２０】
図３２ないし図４３に図示の実施形態のメダル旋回発射装置31では、メダル14を立てた状態で鉛直線を中心にメダル14を旋回させるようにしたが、図４４に図示するようなメダル回転発射装置90をメダル旋回発射装置31の代りに用いてもよい。
【０１２１】
図４４に図示のメダル回転発射装置90では、巾方向が鉛直面に向い、その長手方向が下方へ傾斜したメダル収納部91が配置され、該メダル収納部91の厚みはメダル14の厚みと略同一でかつメダル収納部91の巾はメダル14の直径とほぼ同一の寸法に形成され、メダル収納部91のメダル装入口91ａの厚みおよび長さも前記したと同様に形成され、メダル収納部91のメダル排出口91ｂの上部は斜めに欠除されるとともに、メダル排出口91ｂの底部に溝91ｃが形成されている。
【０１２２】
またメダル収納部91の溝91ｃにストッパー92が遊嵌され、該ストッパー92の上端は軸93によって上下へ傾動自在に枢支され、該ストッパー92の下端には、ソレノイド94の可動片94ａが枢着され、該ソレノイド94の固定部94ｂは周辺板103 に枢着され、ストッパー92の上部にはメダル14を係止する係止爪92ａ，92ｂが形成されており、図示されない引金が引かれた時に短時間内に実線に図示された位置から２点鎖線に図示された位置に下方へ傾斜した後、再び実線に図示される位置に復元しうるようになっている。
【０１２３】
さらにメダル収納部91のメダル排出口91ｂの上方に、軟質ゴム製のメダル転回ローラ95が配設されており、ストッパー92がソレノイド94によって上方へ傾動された際に、メダル転回ローラ95はメダル14に接し、図示されない引金の操作に対応して回転するモータによりメダル転回ローラ95は反時計方向に回転駆動され、メダル収納部91のメダル排出口91ｂ内のメダル14が扇形プレーフィールド104 上を転回しうるようになっている。
【０１２４】
さらにまた扇形プレーフィールド104 は、図４５に図示されるようにゴムのような比較的軟質の板で構成され、該扇形プレーフィールド104 の下方に複数のエアシリンダ96が直立して配設されており、該多数のエアシリンダ96の伸縮度を、図示されないコンピュータにより、適宜変更して、扇形プレーフィールド104 の弯曲の状態を自由に変化させることができるようになっている。
【０１２５】
この実施形態では、扇形プレーフィールド104 が平面状態の場合に、メダル14は扇形プレーフィールド104 上で直進できて、その進行方向は予想し易いが、扇形プレーフィールド104 が不規則に弯曲すると、ゴルフのパッドのように、メダル14の進行経路は予想困難となり、プレーに或る程度の技巧性が必要となる。
【０１２６】
前記ストッパー92の係止爪92ａ，92ｂの間隔を広げると、ソレノイド94の動作サイクルを延長しても、先端の係止爪92ａにより発射されるメダル14の次のメダル14を確実にメダル排出口91ｂに係止することができる。
【０１２７】
また前記実施形態では、扇形プレーフィールド104 上で倒れたメダル14を、扇形プレーフィールド104 の傾動で扇形プレーフィールド104 上から除去するようになっていたが、自動車の窓に付設されたようなワイパー装置で、扇形プレーフィールド104 上のメダル14を除去してもよい。
【０１２８】
最後に図３２ないし図４３に図示のメダルゲーム機０と異なった図４６ないし図６０に図示のメダルゲーム機０について説明する。この図４６ないし図６０のメダルゲーム機０には図７ないし図１０のメダル発射装置１と、図２５ないし図２９に図示のメダル旋回発射装置31とが用いられている。
【０１２９】
また、図３２ないし図４３に図示のメダルゲーム機０では、扇形プレーフィールド104 のプレー面104 ｃと左右両端部４ｅ，４ｆは、図４０に図示されるように、略直角に接しているが、図４６ないし図６０に図示のメダルゲーム機０では、扇形プレーフィールド104 のプレー面104 ｃと左右両端部104 ｅ，104 ｆとは、図５６に図示されるように、メダル14の半径よりも大きな曲率半径の曲面104 ｇ，104 ｈに形成されている。
【０１３０】
さらに図５５に図示されるように、プレー面部材106 の両側部106 ａの両面に取付けブラケット136 が一体に固着され、該取付けブラケット136 に補強板137 の両端部137 ａが補強板137 でもって一体に取付けられ、該補強板137 の中央部137 ｂに揺動部材139 の先端が一体に取付けられている。
【０１３１】
さらにまた、図３２ないし図４３に図示のメダルゲーム機０では、メダル受皿128 は板金をプレス加工した金属製品であったが、図４６ないし図６０に図示のメダルゲーム機０においては、メダル受皿128 はＡＢＳ樹脂やその他の比較的自己潤滑性に富んだ合成樹脂成形品であり、鋼製のヒンジ127 および取付けブラケット136 を介して無端チェン126 に取付けられており、メダル受皿128 は、無端チェン126 に対し、ヒンジ127 の軸127 ｃと、メダル受皿128 の垂下杆128 ａとの結合ボルト138 とを中心として回転しうるようになっている。
【０１３２】
しかも、図３２ないし図４３に図示のメダルゲーム機０においては、景品メダルの払出し機構や不成功メダルの回収機構の具体的構造が示されていなかった。しかし図４６ないし図６０に図示のメダルゲーム機０では、これらを下記のように具体的に説明する。
【０１３３】
周辺板103 と基台108 とに景品メダル払出し機構141 が配設され、該景品メダル払出し機構141 の景品メダル払出しシュート142 の平面形状は、図４９、図５０に図示されるように、景品メダル払出しシュート142 の外周部142 ａがメダルゲーム機０の外周壁140 に沿うように円弧状に弯曲され、景品メダル払出しシュート142 の内側部142 ｂは直線状となるように、形成され、前記景品メダル払出しシュート142 の外側から見た形状は、図５１に図示されるように、底面部142 ｃが両端から中央に向って下方へ傾斜した漏斗状に形成され、前記景品メダル払出しシュート142 の横断面形状は、図４８に図示されるように、上部が広くて下部が狭くなった形状に形成されており、扇形プレーフィールド104 の外周縁部104 ａが前記景品メダル払出しシュート142 に遊嵌されるようになっている。そして景品メダル払出しシュート142 の下端には、図５１に図示されるように、メダル払出し口143 が接続され、このメダル払出し口143 は外周壁140 に取付けられている。
【０１３４】
また、扇形プレーフィールド104 の内側縁部104 ｂの内側に、図５１に一部図示されるように、不成功メダル回収機構144 の不成功メダル回収シュート145 （図３２ないし図４３におけるメダル排出溝123 に対応している）がそれぞれ隣接して配設され、該不成功メダル回収シュート145 の底面部145 ａは、図５１に一部図示されるように、隣接する扇形プレーフィールド104 間直下の少量メダル供給装置146 のホッパー147 に向って下方へ傾斜しており、扇形プレーフィールド104 のプレー面104 ｃ上のメダル14がメダル受皿128 への乗換えが失敗して不成功メダル回収シュート145 内に落下し、または扇形プレーフィールド104 のプレー面104 ｃで倒れたメダル14が、扇形プレーフィールド104 の上方傾動で不成功メダル回収シュート145 に落下した場合には、メダル14は該不成功メダル回収シュート145 の底面部147 ａに沿ってホッパー147 に案内されるようになっている。そして少量メダル供給装置146 の上端は、前記少量メダル発射装置135 に接続されている。
【０１３５】
さらに、一方の１対のホッパー147 で溢れ出たメダル14は、図５０、図５３に図示されるように、余剰メダルシュート148 を介して大量メダル供給装置149 のホッパー150 に案内され、他方の１対のホッパー147 で溢れ出たメダル14と大量メダル供給装置149 のホッパー150 で溢れ出たメダル14は、図５２、図５３に図示されるように、余剰メダルシュート151 を介して回収容器152 に案内されるようになっている。
【０１３６】
さらにまた、不成功メダル回収シュート145 の奥側にメダル落下ガイド板153 が配設されており、扇形プレーフィールド104 より不成功メダル回収シュート145 を越えたメダル14をメダル落下ガイド板153 でもって不成功メダル回収シュート145 に案内するようになっている。
【０１３７】
図４６ないし図６０に図示のメダルゲーム機０は、前記したように構成されているので、図３２ないし図４３に図示のメダルゲーム機０で奏せられる作用効果の外に、下記のような作用効果が期待できる。
【０１３８】
図４６ないし図６０のメダルゲーム機０では、扇形プレーフィールド104 のプレー面104 ｃと、左右両端部104 ｅ，104 ｆとの間に、メダル14の半径よりも大きな曲率の曲面104 ｇ，104 ｈが形成されているため、扇形プレーフィールド104 のプレー面104 ｃ上で旋回しているメダル14が、左両端部104 ｅ，104 ｆに接近しても、大曲面の104 ｇ，104 ｈにより旋回メダル14はプレー面104 ｃ上に戻され、旋回を続けて、扇形プレーフィールド104 の内側縁部104 ｂに確実に案内され、扇形プレーフィールド104 のプレー面104 ｃで倒れることが少なくなる。
【０１３９】
またメダル受皿128 は、自己潤滑性に富んだ合成樹脂製品であるので、無端チェン126 の回送に対応して、メダル受皿128 が向きを変えられる際に、摩擦が少ない。
【０１４０】
さらにメダル受皿128 の傾斜片128 ｄが係合突片130 に係合した際に、円滑にメダル受皿128 が傾斜するとともに、その後、係合突片130 より傾斜片128 ｄが滑らかに外れる。
【０１４１】
さらにまたメダル受皿128 は、無端チェン126 に対し、無端チェン126 の回送方向に向いたヒンジ127 の軸127 ｃと、無端チェン126 の回送方向に対し直交して前後方向に指向した補強板137 とを中心に回転しうるように取付けられているが、鉛直線を中心としては回転できないようになっているため、メダル受皿128 の立上がり片128 ｃは扇形プレーフィールド104 の内側縁部104 ｂに安定して正対でき、扇形プレーフィールド104 の旋回メダル14はメダル受皿128 に円滑に乗換えることができる。
【０１４２】
しかも、扇形プレーフィールド104 が図４８のように上方へ跳上げられた場合にも、扇形プレーフィールド104 の外周縁部104 ｂの下端が、メダル旋回発射装置31のメダルストッパー47，スピン付与部49より下方に位置しているため、プレーヤが誤ってメダル旋回発射装置31を発射しても、メダル14が基台108 上に浸入することが阻止される。
【０１４３】
また扇形プレーフィールド104 のプレー面104 ｃからメダル受皿128 への乗換えや、メダル受皿128 からチャッカー129 への乗換えが失敗したメダル14は、不成功メダル回収シュート145 内に落下するが、このメダル14は、ホッパー147 から少量メダル供給装置146 を介して少量メダル発射装置135 へメダル14が送られるため、チャッカー129 の動作の結果、メダルが少量払出しとなる場合には、メダル14は必ず払出される。
【０１４４】
さらに、１対のホッパー147 で余ったメダル14は、余剰メダルシュート148 を介して大量メダル供給装置149 のホッパー150 に送られ、人形132 がホームポジションに戻った際に、ホッパー150 から大量メダル供給装置149 によってメダル発射装置１のホッパー17に大量のメダル14が補給されるようになっているため、チャッカー129 の動作の結果、大量払出しとなっても、メダル供給装置15からメダル発射装置１により、所定の多数枚メダル14が空中に飛んで、扇形プレーフィールド104 の切欠き107 に向い発射され、景品メダル払出し機構141 の景品メダル払出しシュート142 に集められて、メダル払出し口143 より払出される。
【０１４５】
少量メダル発射装置135 およびメダル発射装置１よりのメダル14の払出し枚数を越えるメダル14は、回収容器152 に自動的に回収され、メダルゲーム機０のオーナーはこのメダル14を取出すことができる。
【図面の簡単な説明】
【図１】
本出願発明に係るメダル発射装置の一実施形態を図示した左側面図である。
【図２】
図１の平面図である。
【図３】
図１の正面図である。
【図４】
図１の実施形態に使用されるメダル供給装置の斜視図である。
【図５】
図１ないし図４に図示の実施形態におけるメダル発射枚数検出の状態を図示した説明図である。
【図６】
図１ないし図４に図示の実施形態と異なる他の実施形態の説明図である。
【図７】
図１ないし図６に図示の実施形態とさらに異なる他の実施形態の左側面図である。
【図８】
図７の平面図である。
【図９】
図７の正面図である。
【図１０】
図７ないし図９に図示の実施形態におけるメダル発射枚数検出の状態を図示した説明図である。
【図１１】
本出願発明に係るメダル旋回発射装置１の一実施形態を図示した側面図である。
【図１２】
図１のII矢視図である。
【図１３】
図１のメダル旋回発射装置１における銃身部11の分解斜視図である。
【図１４】
図１のメダル加撃機構の分解斜視図である。
【図１５】
銃身部を支持する支柱の側面図である。
【図１６】
図５のVI矢視図である。
【図１７】
支柱を揺動自在に枢支する台座の平面図である。
【図１８】
引金を極限近く迄引いた状態のメダル旋回発射装置１の側面図である。
【図１９】
引金を完全に引ききった状態のメダル旋回発射装置１の側面図である。
【図２０】
引金を完全に引ききった状態から引金から指を離した状態のメダル旋回発射装置１の側面図である。
【図２１】
メダル旋回発射装置１の他の実施形態の斜視図である。
【図２２】
図１１のＸII−ＸII線に沿って裁断した横断面図である。
【図２３】
図１１のＸIII −ＸIII 線に沿って裁断した縦断面図である。
【図２４】
図１ないし図１５に図示の実施形態と異なる他の実施形態の概略側面図である。
【図２５】
図１１ないし図２４に図示の実施形態と異なる他の実施形態の側面図である。
【図２６】
図２５のＸ矢視図である。
【図２７】
図２５の要部分解斜視図である。
【図２８】
調整部材28の側面図である。
【図２９】
図２８の底面図である。
【図３０】
図１１ないし図２３に図示の実施形態におけるメダル14の詰り状態を図示した説明図である。
【図３１】
図２５ないし図２９に図示の実施形態におけるメダル収納部50のメダル14の収納状態を図示した説明図で、この場合には、メダル14が詰らないことが示されている。
【図３２】
本出願発明に係るメダルゲーム機の一実施形態の斜視図である。
【図３３】
図３２において、スロットマシンで大当りが出た場合の斜視図である。
【図３４】
図３２の要部拡大正面図である。
【図３５】
図３２の要部拡大平面図である。
【図３６】
扇形プレーフィールドが水平に支持された状態の側面図である。
【図３７】
扇形プレーフィールドが傾斜しない状態の側面図である。
【図３８】
扇形プレーフィールドの平面図である。
【図３９】
扇形プレーフィールドの裏面図である。
【図４０】
扇形プレーフィールドの外周側より見た正面図である。
【図４１】
チャッカーの正面図である。
【図４２】
チャッカーの側面図である。
【図４３】
チャッカーの平面図である。
【図４４】
他の実施形態のメダル転回発射装置の縦断側面図である。
【図４５】
プレーフィールドの平面図である。
【図４６】
図３２ないし図４３に図示のメダルゲーム機と異なったメダルゲーム機の他の実施形態の斜視図である。
【図４７】
図４６において、スロットマシンで大当たりが出た場合の斜視図である。
【図４８】
図４６の要部拡大縦断側面図である。
【図４９】
図４６の要部拡大平面図である。
【図５０】
メダルゲーム機の景品メダル払出し機構および不成功メダル回収機構の概略を図示した一部欠除平面図である。
【図５１】
図５０の一部欠除正面図である。
【図５２】
図５０のＵ矢視図である。
【図５３】
図５０のＶ矢視図である。
【図５４】
扇形プレーフィールドが水平に支持された状態のプレーフィールドの一部欠除側面図である。
【図５５】
扇形プレーフィールドの一部欠除平面図である。
【図５６】
扇形プレーフィールドの内側より見た正面図である。
【図５７】
無端チェーンに取付けられた状態のメダル受皿正面図である。
【図５８】
図５７の右側面図である。
【図５９】
図５７のＹ−Ｙ線に沿って裁断した横断面図である。
【図６０】
図５８のＺ−Ｚ線に沿って裁断した縦断面図である。
【符号の説明】
０…メダルゲーム機、１…メダル発射装置、２…水平基板、３…ローラ枢支板、４…枢支ビス、５…ガイドビス、６…スプリング取付けピン、７…引張コイルスプリング、８…ローラ駆動モータ、９…ギヤヘッド、10…挟付けローラ、11…入口側ガイド板、12…出口側ガイド板、13…規制板、14…メダル、15…メダル供給装置、16…メダルガイド、17…ホッパー、18…メダル供給モータ、19…ドライブギヤ、20…ドリブンギヤ、21…アイドラギヤ、22…サークリップ、23…揺動レバー、24…ピン、25…メダル当接円筒片、26…光センサー、27…回転軸、28…光センサー、
31…メダル旋回発射装置、32…台座、33…中心孔、34…ガイド溝、35…取付け孔、36…支柱、37…下端軸、38…ナット、39…ガイドピン、41…銃身部、42…銃床、43…銃底、44…メダルガイド、45…蓋、46…メダル装入金具、47…メダルストッパー、48…スペーサ、49…スピン付与部、50…メダル収納部、51…引金、52，53…ピン、54…引張コイルスプリング、55…ラチェット爪、56…ピン、57…引張コイルスプリング、58…引金節度機構、
60…メダル加撃機構、61…加撃片、62…支軸、63…引張コイルスプリング、64…調整ネジ、65…調整ピン、66…引金発動手段、67…連結部材、68…ピン、69…傾動カム、70…ピン、71…係脱片、72…圧縮コイルスプリング、73，74…ピン、75…弾性片、76…発射検出リミットスイッチ、77…メダル通過センサー、78…不適正メダル排出シート、
80…メダル受け板、81…光センサー、82…調整部材、
90…メダル回転発射装置、91…メダル収納部、92…ストッパー、93…軸、94…ソレノイド、95…メダル転回ローラ、96…エアシリンダ、
101 …カバー、102 …窓、103 …周辺板、104 …扇形プレーフィールド、105 …補強板、106 …プレー面部材、107 …切欠き、108 …基台、109 …支持ブラケット、110 …水平軸、111 …固定手段、112 …支柱、113 …緩衝ゴム、114 …プレーフィールド起伏モータ、115 …ギヤ、116 …起伏軸支持ブラケット、117 …起伏軸、118 …ギヤ、119 …アーム、120 …ローラ、121 …カム、122 …マイクロスイッチ、123 …メダル排出溝、124 …梯形状チェーンガイド、125 …スプロケット、126 …無端チェン、127 …ヒンジ、128 …メダル受皿、129 …チャッカー、130 …係合突片、131 …スロットマシン、132 …人形、133 …ランプ、134 …サイレン、135 …少量メダル発射装置、136 …取付けブラケット、137 …補強板、138 …結合ボルト、139 …揺動部材、140 …外周壁、141 …景品メダル払出し機構、142 …景品メダル払出しシュート、143 …メダル払出し口、144 …不成功メダル回収機構、145 …不成功メダル回収シュート、146 …少量メダル供給装置、147 …ホッパー、148 …余剰メダルシュート、149 …大量メダル供給装置、150 …ホッパー、151 …余剰メダルシュート、152 …回収容器、153 …メダル落下ガイド板。